(57)【要約】【課題】オープンペール缶を始めとする種々の缶体に対し、ステンレス鋼を含めて缶本体の材質による制約なく容易に取り付けることができる缶体用蔓形把手具を提供する。【解決手段】オープンペール缶Ｐの外周に巻き締めて固定するための金属製締付バンド５Ａに、針金材３１からなる湾曲した蔓形把手３が両端部で回動可能に枢着されてなる缶体用蔓形把手具。【選択図】図１
2014088182.tif 000002
【特許請求の範囲】
【請求項１】
円筒状缶体の外周に巻き締めて固定するための金属製締付バンドに、針金材からなる湾曲した蔓形把手が両端部で回動可能に枢着されてなる缶体用蔓形把手具。
【請求項２】
前記金属製締付バンドが前記缶体の胴部に巻き締めるものである請求項１に記載の缶体用蔓形把手具。
【請求項３】
前記金属製締付バンドが前記缶体における缶本体の上端開口周縁部と缶蓋の周縁部との重合部分に外嵌して巻き締めるものである請求項１に記載の缶体用蔓形把手具。
【請求項４】
前記金属製締付バンドがレバー式締付機構を有してなる請求項１〜３のいずれかに記載の缶体用蔓形把手具。
【請求項５】
ステンレス鋼製の円筒状缶体に前記請求項１〜４のいずれかに記載の缶体用蔓形把手具が取り付けられてなる蔓形把手付き缶体。
【請求項６】
前記缶体がオープンペール缶である請求項５に記載の蔓形把手付き缶体。
【発明の詳細な説明】
【技術分野】
【０００１】
本発明は、オープンペール缶を始めとする円筒状缶体に取り付ける蔓形把手具と、この蔓形把手を備えたステンレス鋼製の缶体に関する。
【背景技術】
【０００２】
一般的に、金属製のオープンペール缶は、図１１（ａ）（ｂ）に示すように、上方に開放した円筒状の缶本体１と、その上端開口部に嵌着される円板状の缶蓋２と、該缶本体１に取り付けられた蔓形把手３とで構成されている。その缶本体１は、金属板を円筒状に曲げ加工して端部同士をシーム溶接して得られる胴部１１の下端に、円板状の地板（底板）１２が巻締め固着したものであり、胴部１１の上部側には外側へ膨出する上下２本の補強用環状ビード１１ａが形成され、シーム溶接部ｓの上部位置とその径方向対向位置とに、帽子形の把手取付金具４がスポット溶接等で固着されている。そして、蔓形把手３は、略半円弧状に湾曲した針金材３１の両端屈曲部を各々把手取付金具４内に挿嵌することにより、缶本体１に対して上下回動自在に取り付けられており、針金材３１の中間部には木製やプラスチック製の円筒状の握り３２が嵌装されている。なお、缶蓋２は、図１１（ａ）のように周縁に設けた多数のラグ２１を缶本体１の開口縁部に加締めて固定するラグタイプと、図１１（ｂ）のように断面コ字形の緊締バンド５による締め付けで缶本体１の開口縁部に固定するバンドタイプとがある（特許文献１）。
【０００３】
このよううなオープンペール缶の缶本体１及び缶蓋２には、従来よりブリキ製やティンフリースチール製のものが汎用されているが、近年では耐久性に優れて高級感のあるＳＵＳ３０４の如きステンレス鋼製のものの需要が拡大しつつある。
【先行技術文献】
【特許文献】
【０００４】
【特許文献１】特開２０１１−１４８５２０号公報（図５，図６）
【発明の概要】
【発明が解決しようとする課題】
【０００５】
しかるに、ステンレス鋼製のオープンペール缶の場合、蔓形把手３を取り付けるために缶本体１に把手取付金具４をスポット溶接する際、シリーズ溶接法は構造的に適用困難である一方、ダイレクト溶接法では溶接部が焼けて黒く酸化変色し、ステンレス鋼としての美観が損なわれるという難点があった。なお、缶本体１に対して把手取付金具４をリベットにて固着する方法もあるが、非常に作業性が悪いことから、量産を要するオープンペール缶には生産効率面より採用不能である。
【０００６】
本発明は、上述の事情に鑑みて、オープンペール缶を始めとする種々の缶体に対し、ステンレス鋼を含めて缶本体の材質による制約なく容易に取り付けることができる缶体用蔓形把手具と、これを用いた蔓形把手付き缶体とを提供することを目的としている。
【課題を解決するための手段】
【０００７】
上記目的を達成するための手段を図面の参照符号を付して示せば、請求項１の発明に係る缶体用蔓形把手具Ｈ１〜Ｈ３は、円筒状缶体（オープンペール缶Ｐ）の外周に巻き締めて固定するための金属製締付バンド５Ａ〜５Ｃに、針金材３１からなる湾曲した蔓形把手３が両端部３１ａで回動可能に枢着されてなる構成としている。
【０００８】
請求項２の発明は、上記請求項１の缶体用蔓形把手具において、金属製締付バンド５Ａ，５Ｂが缶体Ｐの胴部１１に巻き締めるものとしている。
【０００９】
請求項３の発明は、上記請求項１の缶体用蔓形把手具において、金属製締付バンド５Ｃが缶体Ｐにおける缶本体１の上端開口周縁部１１ｂと缶蓋２の周縁部２ａとの重合部分に外嵌して巻き締めるものとしている。
【００１０】
請求項４の発明は、上記請求項１〜３のいずれかの缶体用蔓形把手具において、金属製締付バンド５Ａ，５Ｃがレバー式締付機構６，８を有してなるものとしている。
【００１１】
請求項５の発明に係る蔓形把手付き缶体は、ステンレス鋼製の円筒状缶体（オープンペール缶Ｐ）に請求項１〜４のいずれかの缶体用蔓形把手具Ｈ１〜Ｈ３が取り付けられてなる構成としている。
【００１２】
請求項６の発明は、上記請求項５の蔓形把手付き缶体において、缶体がオープンペール缶Ｐであるものとしている。
【発明の効果】
【００１３】
次に、本発明の効果について図面の参照符号を付して説明する。まず、請求項１の発明に係る缶体用蔓形把手具Ｈ１〜Ｈ３は、金属製締付バンド５Ａ〜５Ｃに蔓形把手３が両端部３１ａで回動可能に枢着されたものであるから、円筒状缶体（オープンペール缶Ｐ）に対し、その外周に金属製締付バンド５Ａ〜５Ｃを巻き締めるだけの操作により、蔓形把手３を極めて容易に取り付けることができ、その取付対象とする缶体Ｐの缶本体１の材質による制約を受けない。また、缶体用蔓形把手具Ｈ１〜Ｈ３自体は独立器材であり、缶体Ｐに対して必要に応じて着脱可能であるから、例えば缶体Ｐの保管や搬送の際には該缶体Ｐから取り外して嵩張らない状態にまとめておける上、その一基を複数の缶体Ｐに共用できるので、缶体数に対して少ない数で対応できるという利点もある。一方、缶体Ｐ側は、蔓形把手３を設ける必要がないので、従来に比較して製造工程が大幅に簡略化され、格段に高い生産効率が得られる。
【００１４】
請求項２の発明に係る缶体用蔓形把手具Ｈ１，Ｈ２では、金属製締付バンド５Ａ，５Ｂが缶体Ｐの胴部１１に巻き締めることで、確実に缶体Ｐに取り付けることができる。
【００１５】
請求項３の発明に係る缶体用蔓形把手具Ｈ３では、金属製締付バンド５Ｃが缶体Ｐにおける缶本体１の上端開口周縁部１１ｂと缶蓋２の周縁部２ａとの重合部分に外嵌して巻き締めるものであり、蔓形把手３としての機能と缶本体１に缶蓋２を固定する機能とを併せ持つから、従来のバンドタイプの缶蓋２に用いていた締付バンドが不要になる。
【００１６】
請求項４の発明に係る缶体用蔓形把手具Ｈ１，Ｈ３では、金属製締付バンド５Ａ，５Ｃがレバー式締付機構６，８を有するから、缶体Ｐに対する着脱操作を容易に且つ迅速に行える。
【００１７】
請求項５の発明に係る蔓形把手付き缶体（オープンペール缶Ｐ）は、ステンレス鋼製であるが、蔓形把手３が缶本体１とは別体であって金属製締付バンド５Ａ〜５Ｃを介して該缶体Ｐに取り付けられ、従来のような把手取付金具のスポット溶接が不要であるから、該スポット溶接によってステンレス材質の美観・高級感が損なわれる懸念がない。
【００１８】
請求項６の発明によれば、オープンペール缶Ｐとして、蔓形把手３が金属製締付バンド５Ａ〜５Ｃを介して着脱自在に容易に取り付けられるものが提供される。
【図面の簡単な説明】
【００１９】
【図１】本発明に係る第一実施形態の缶体用蔓形把手具を示す斜視図である。
【図２】同第一実施形態の缶体用蔓形把手具を装着したオープンペール缶を示す斜視図である。
【図３】同第一実施形態の缶体用蔓形把手具における金属製締付バンドの要部を示し、（ａ）は締付状態の正面図、（ｂ）は締付解除状態の平面図である。
【図４】同第一実施形態の缶体用蔓形把手具における蔓形把手の締付バンドに対する枢着部を示す横断平面図である。
【図５】本発明に係る第二実施形態の缶体用蔓形把手具を示す斜視図である。
【図６】同第二実施形態の缶体用蔓形把手具を装着したオープンペール缶を示す斜視図である。
【図７】同第二実施形態の缶体用蔓形把手具における金属製締付バンドの要部を示し、（ａ）は正面図、（ｂ）は横断平面図である。
【図８】本発明に係る第三実施形態の缶体用蔓形把手具を示す斜視図である。
【図９】同第三実施形態の缶体用蔓形把手具を装着したオープンペール缶を示す斜視図である。
【図１０】同第二実施形態の缶体用蔓形把手具における金属製締付バンドの要部を示す平面図である。
【図１１】従来の一般的なオープンペール缶を示し、（ａ）は缶蓋がラグタイプのオープンペール缶の斜視図、（ｂ）は缶蓋がバンドタイプのオープンペール缶の斜視図である。
【発明を実施するための形態】
【００２０】
以下に、本発明に係る缶体用蔓形把手具と、これを用いた本発明に係る蔓形把手付き缶体の実施形態について、図面を参照して具体的に説明する。なお、図１１で示す既述の従来構成を含めて共通する構成部分には同一符号を付しており、従来構成で説明した構成部分については詳細な説明を省略する。
【００２１】
図１〜図４に示す第一実施形態の缶体用蔓形把手具Ｈ１は、レバー式締付機構６を備えた締付バンド５Ａに、略半円弧状に湾曲した針金材３１からなる蔓形把手３が枢着されたものである。その締付バンド５Ａは、鋼製帯板からなるバンド部５１の閉環時において略径方向に対向する２か所の外面側に、それぞれ帽子形の把手取付金具４がスポット溶接にて固着されている。そして、蔓形把手３は、図４に示すように、針金材３１の両端屈曲部３１ａを各々把手取付金具４の頂面に設けた差込み穴４ａから該把手取付金具４内へ挿嵌することにより、締付バンド５Ａに対して上下回動自在に取り付けられており、針金材３１の中間部には木製やプラスチック製の円筒状の握り３２が嵌装されている。
【００２２】
締付バンド５Ａのレバー式締付機構６は、図３（ａ）（ｂ）に示すように、バンド部５１の一端側にねじ止めされたフック部材６１、該バンド部５１の他端側にねじ止めされた平面視くの字状の取付片６２の先端側に枢着したレバー部材６３、該レバー部材６３の先端側に枢支ピン６４を介して基端側で枢着した上下一対の帯状の基部側スライド片６５，６５、フック部材６１に掛止させる掛止ピン６６、該掛止ピン６６の両端部に基端側で連結した上下一対の帯状の先部側スライド片６７，６７、上下両位置における基部側スライド片６５と先部側スライド片６７との重なり部分に嵌装された上下一対の圧縮コイルスプリング６８，６８、より構成されている。そして、基部側スライド片６５と先部側スライド片６７とは互いに逆方向から延出して重なり、各々の先端側の幅広になったばね止め部６５ａ，６７ａ間に圧縮コイルスプリング６８が配置しており、掛止ピン６６が両圧縮コイルスプリング６８，６８を介してレバー部材６３に枢支されている。なお、レバー部材６３の先端側には指掛け突片６３ａが突設されている。
【００２３】
この第一実施形態の缶体用蔓形把手具Ｈ１を使用するには、図２に示すように、オープンペール缶Ｐの缶本体１の胴部１１における上下の補強用環状ビード１１ａ，１１ａ間に、締付バンド５Ａのバンド部５１を巻き掛け、その掛止ピン６６をフック部材６１に掛止させた上で、レバー部材６３を取付片６２側へ引き戻すように回動させて締付け固定すればよい。
【００２４】
すなわち、掛止ピン６６をフック部材６１に掛止させた段階では、図３（ｂ）に示すように、基部側スライド片６５と先部側スライド片６７との重なり幅が大きく、各圧縮コイルスプリング６８が緩い圧縮状態にあり、両スライド片６５，６７とレバー部材６３とが山形に側方へ突出している。この状態からレバー部材６３の指掛け突片６３ａに手指を掛けて図示矢印のように引き戻せば、レバー部材６３が取付片６２上に被さる形で、図３（ｂ）に示すように圧縮コイルスプリング６８の収縮を伴ってバンド部５１の両端部が接近した固定状態となる。この締付バンド５Ａの巻き締め操作により、オープンペール缶Ｐは図２の如く蔓形把手３を備えたものとなる。
【００２５】
図５〜図７に示す第二実施形態の缶体用蔓形把手具Ｈ２は、ウォームホイール式締付機構７を備えた締付バンド５Ｂに、前記第一実施形態と同様の蔓形把手３が枢着されたものである。その締付バンド５Ｂは、第一実施形態と同様に、鋼製帯板からなるバンド部５２の２か所に把手取付金具４，４が固着され、両把手取付金具４，４を介して蔓形把手３が針金材３１の両端部で上下回動自在に取り付けられている。
【００２６】
締付バンド５Ｂのウォームホイール式締付機構７は、図７（ａ）（ｂ）に示すように、バンド部５２の一端側５２ａにウオームホイール７１を抱持したホイールケース７２が固着され、先端から所定長さ範囲に多数の傾斜スリット孔７０が所定ピッチで密に形成された他端側５２ｂをホイールケース７２内に挿通させ、もって該バンド部５２を輪にした状態で、傾斜スリット孔７０にウオームホイール７１の雄ねじ７１ａが入り込む形で噛合しており、該ウオームホイール７１を正逆回転させることにより、バンド部５２の他端側５２ｂが一端側５２ａに対して進退移動し、もってバンド部５２の輪（径）が拡縮変化するようになっている。なお、ウオームホイール７１は、両端がホイールケース７２から突出し、その一端に溝７３ａを有する捻回用頭部７３を有すると共に、両端部近傍に設けたネック部７４，７４に各々ホイールケース７２の開口縁部７２ａが嵌合しており、これによってホイールケース７２に回転自在に抱持されている。
【００２７】
この第二実施形態の缶体用蔓形把手具Ｈ２を使用するには、その締付バンド５Ｂの輪を大きくした状態で、図６に示すようにオープンペール缶Ｐの缶本体１の胴部１１における上下の補強用環状ビード１１ａ，１１ａ間に該締付バンド５Ｂを嵌め合わせ、次いでウオームホイール７１の捻回用頭部７３の溝７３ａにドライバー等の捻回具の先を嵌合し、該ウオームホイール７１を締付方向に回転させることにより、締付バンド５Ｂの輪を縮めて缶本体１の胴部１１に締付け固定すればよい。この締付バンド５Ｂの巻き締め操作により、オープンペール缶Ｐは図６の如く蔓形把手３を備えたものとなる。
【００２８】
なお、上述した第一及び第二実施形態におけるオープンペール缶Ｐは缶蓋を外した状態で図示しているが、該缶蓋には既述の図１１（ａ）で示すラグタイプと図１１（ｂ）で示すバンドタイプのいずれをも採用できる。また、缶本体１の上端開口周縁部１１ｂは、外側へのカールによって断面円形になっている。
【００２９】
図８〜図１０に示す第三実施形態の缶体用蔓形把手具Ｈ３は、レバー式締付機構８を備えた締付バンド５Ｃに、前記第一及び第二実施形態と同様の蔓形把手３が枢着されたものである。その締付バンド５Ｃは、既述の図１１（ｂ）で示すバンドタイプの缶蓋２の締付固定に使用される締付バンド５と同様構成であり、バンド部５３が内周側を溝状とする断面略コ字形に曲成した鋼製帯板からなる開環状をなすが、そのバンド部５３の略径方向に対向する２か所に、蔓形把手３が針金材３１の両端屈曲部３１ａ，３１ａを貫入して上下回動自在に取り付けられている。
【００３０】
締付バンド５Ｃのレバー式締付機構８は、図１０で拡大して示すように、バンド部５３の両端に取付片８１，８２がねじ止めされ、その一端側の取付片８１に操作用レバー８ａが枢支ピン８３を介して基端側で枢着され、他端側の取付片８２に上下一対の短い連結レバー８ｂ，８ｂが枢支ピン８４を介して一端側で枢着されると共に、その他端側が枢支ピン８５を介して操作用レバー８ａの中間部に枢着されてなる。なお、操作用レバー８ａの先端側には引き起こし用の指掛け突片８６が突設されている。
【００３１】
この第三実施形態の缶体用蔓形把手具Ｈ３を使用するには、図９に示すように、オープンペール缶Ｐの缶本体１に缶蓋２を被せておき、その缶本体１の上端開口周縁部１１ｂと缶蓋２の周縁部２ａとの重合部分に、該缶体用蔓形把手具Ｈ３の締付バンド５Ｃを、レバー式締付機構８の操作用レバー８ａを引き起こしてバンド部５３の両端間隔が拡がった状態で外嵌させ、次いで操作用レバー８ａを図１０の矢印で示すように引き戻してバンド部５３上に被嵌させればよい。この締付バンド５Ｃの巻き締め操作により、バンド部５３の両端間隔が縮まるから、缶本体１に対して缶蓋２が密着固定されると共に、オープンペール缶Ｐ自体は図９の如く蔓形把手３を備えたものとなる。
【００３２】
上述のように、これら第一〜第三実施形態の缶体用蔓形把手具Ｈ１〜Ｈ３では、オープンペール缶Ｐに対し、その外周に金属製締付バンド５Ａ〜５Ｃを巻き締めるだけの操作により、蔓形把手３を極めて容易に取り付けることができるから、蔓形把手３の取付対象とするオープンペール缶Ｐの缶本体１の材質による制約を受けない。従って、これら缶体用蔓形把手具Ｈ１〜Ｈ３を使用すれば、従来においては把手取付金具４のスポット溶接で変色を生じるＳＵＳ３０４等のステンレス鋼製のオープンペール缶であっても、そのステンレス材質本来の美観・高級感を保持した状態で蔓形把手付き缶体とすることができる。
【００３３】
また、缶体用蔓形把手具Ｈ１〜Ｈ３自体は独立器材であり、オープンペール缶Ｐに対して必要に応じて着脱可能であるから、例えばオープンペール缶Ｐの保管や搬送の際には該缶体Ｐから取り外して嵩張らない状態にまとめておける上、その一基を複数のオープンペール缶Ｐに共用できるので、缶体数に対して少ない数で対応できるという利点もある。一方、オープンペール缶Ｐは、これら缶体用蔓形把手具Ｈ１〜Ｈ３を採用することで製造時に蔓形把手３を設ける必要がないから、従来に比較して製造工程が大幅に簡略化され、格段に高い生産効率が得られる。
【００３４】
なお、本発明の缶体用蔓形把手具における金属製締付バンドの締付機構として、実施形態ではレバー式締付機構とウォームホイール式締付機構を例示したが、バンド部の両端にボルト挿通用金具を止着し、両ボルト挿通用金具に挿通したボルトとナット又はねじ孔によって締付け操作するボルト締付機構等、他の種々の締付機構も採用可能である。ただし、簡単に迅速な締付操作及び締付解除操作を行える点で、レバー式締付機構が好適である。また、第三実施形態のように缶体用蔓形把手具の金属製締付バンドとして、従来のバンドタイプの缶蓋に用いていた締付バンドと同様の構成を採用すれば、蔓形把手としての機能と缶蓋の固定機能とを併せ持つことになるから、従来における缶蓋固定用の締付バンドが不要になる。
【００３５】
一方、本発明の缶体用蔓形把手具を適用する缶体としては、実施形態では最も汎用されているオープンペール缶を例示したが、蔓形把手によって下げ持ち可能なサイズ及び重量であれば、オープンペール缶以外の種々の円筒状缶体でも差し支えない。また、缶本体の胴部の補強用凹凸構造についても種々設定できる。その他、本発明においては、蔓形把手の針金材の湾曲形状、該針金材の両端部と金属製締付バンドとの枢着構造、蔓形把手の握り部の形状と材質、レバー式締付機構における締付構造及び部材形状等、細部構成については実施形態以外に種々設計変更可能である。
【符号の説明】
【００３６】
１          缶本体
１１        胴部
１１ａ      上端開口周縁部
２          缶蓋
２ａ        周縁部
３          蔓形把手
３１        針金材
３１ａ      屈曲端部（端部）
５Ａ〜５Ｃ  金属製締付バンド
６          レバー式締付機構
７          ウォームホイール式締付機構（締付機構）
８          レバー式締付機構
Ｈ１〜Ｈ３  缶体用蔓形把手具
Ｐ          オープンペール缶（円筒状缶体）
【図１】
2014088182.tif 000003
【図２】
2014088182.tif 000004
【図３】
2014088182.tif 000005
【図４】
2014088182.tif 000006
【図５】
2014088182.tif 000007
【図６】
2014088182.tif 000008
【図７】
2014088182.tif 000009
【図８】
2014088182.tif 000010
【図９】
2014088182.tif 000011
【図１０】
2014088182.tif 000012
【図１１】
2014088182.tif 000013